(57)【要約】【課題】ユーザの希望に適合するマーク付きユニフォームを製造することが可能なマーク付きユニフォームの製造支援システム、及び製造支援プログラムを提供する。【解決手段】製造側端末（４）が、製造が完了したマーク付きユニフォームのマークを撮影したマーク画像を含む公開データ（５０）と、製造に関する情報を含む非公開データ（５１）とを、蓄積サーバ（３）に蓄積させる（６１）。マーク付きユニフォームの注文時には、注文側端末（２）が、蓄積サーバ（３）から公開データ（５０）を取得し（６２）、表示することで、ユーザが希望するユニフォーム基材やマークが指定され、注文候補データ（５２）として蓄積サーバ（３）に送信する（６３）。蓄積サーバ（３）は、注文候補データ（５２）に対応する非公開データを注文詳細データ（５３）として注文を決定し、製造側端末（４）へ送信する（６４）。【選択図】図７
2018200547.tif 000002
【特許請求の範囲】
【請求項１】
ユニフォームを構成するユニフォーム基材の種類を示す基材データと、前記ユニフォーム基材の全面を撮影した全景画像を示す全景データと、前記ユニフォームに形成されたマークの位置、該位置に形成されたマークを撮影したマーク画像、及び前記マークの素材の各々を示す情報を関連付けたマークデータと、を記憶した記憶部と、
前記記憶部に記憶された前記基材データと、前記全景データと、前記マークデータとを用いて、入力されたユニフォーム基材の種類に対応する前記ユニフォーム基材の全景画像を表示し、かつ前記全景画像の周囲に前記マーク画像が表示されるように表示部を制御する第１表示制御部と、
前記マーク画像として他のマーク画像を表示可能に前記表示部を制御する第２表示制御部と、
前記表示部に表示された前記ユニフォーム基材の種類、前記全景画像及び前記マーク画像によって、候補ユニフォームを決定し、かつ決定された候補ユニフォームを示す前記ユニフォーム基材の種類、前記全景画像及び前記マーク画像に対応する基材データ、全景データ及びマークデータに基づいて、ユニフォーム基材の種類、前記マークの位置及び前記マークの素材を含む注文ユニフォームに関する仕様を決定する決定部と、
を備えたマーク付きユニフォームの製造支援システム。
【請求項２】
前記記憶部は、ネットワークを介して接続される
請求項１に記載のマーク付きユニフォームの製造支援システム。
【請求項３】
マーク付きユニフォームを製造した際に製造品を撮影し、かつ撮影した画像を含む前記製造品に関する前記基材データと、前記全景データと、前記マークデータと、を記憶部へ登録する登録部を更に含む
請求項１又は請求項２に記載のマーク付きユニフォームの製造支援システム。
【請求項４】
前記登録部は、ネットワークを介して接続される
請求項３に記載のマーク付きユニフォームの製造支援システム。
【請求項５】
ユニフォームを構成するユニフォーム基材の種類を示す基材データと、前記ユニフォーム基材の全面を撮影した全景画像を示す全景データと、前記ユニフォームに形成されたマークの位置、該位置に形成されたマークを撮影したマーク画像、及び前記マークの素材の各々を示す情報を関連付けたマークデータと、を記憶した記憶部に記憶された前記基材データと、前記全景データと、前記マークデータとを用いて、入力されたユニフォーム基材の種類に対応する前記ユニフォーム基材の全景画像を表示し、かつ前記全景画像の周囲に前記マーク画像が表示されるように表示部を制御し、
前記マーク画像として他のマーク画像を表示可能に前記表示部を制御し、
前記表示部に表示された前記ユニフォーム基材の種類、前記全景画像及び前記マーク画像によって、候補ユニフォームを決定し、かつ決定された候補ユニフォームを示す前記ユニフォーム基材の種類、前記全景画像及び前記マーク画像に対応する基材データ、全景データ及びマークデータに基づいて、ユニフォーム基材の種類、前記マークの位置及び前記マークの素材を含む注文ユニフォームに関する仕様を決定する、
ことを含む処理をコンピュータに実行させるマーク付きユニフォームの製造支援プログラム。
【発明の詳細な説明】
【技術分野】
【０００１】
本発明は、マーク付きユニフォームの製造支援システム、及び製造支援プログラムに関する。
【背景技術】
【０００２】
スポーツ用ユニホームなどには、所望の背番号や所望の図柄等が形成されたマーク（ワッペン）をユニホーム生地に貼附する手法が知られている。また、ユニホーム生地に、所望の色彩、模様、図柄等をシルクスクリーン印刷法等によって、マークを直接形成する手法も知られている。
【０００３】
一方、ユーザは、希望するユニフォーム生地を用いて、そのユニフォーム生地の希望するマーク位置に、希望するマークを定めることでユニフォームの完成形を決定する所謂オーダーメイドによって、ユーザ固有のユニフォームをユーザが希望する製品として注文する場合がある。また、ユニフォーム生地、マーク位置、及びマークの各々について予め定めたものを複数準備しておき、複数のユニフォーム生地、マーク位置、及びマークの各々を選択してユニフォームの完成形を決定する所謂イージーオーダーによってユーザ固有のユニフォームをユーザが希望する製品として注文する場合もある。
【０００４】
このようなユーザが希望する製品を提供する技術に、衣料・服飾品の製造、販売において、ユーザの好みのデザイン及び生地を選択させ、選択されたデザイン及び生地による仕上がりイメージを確認後、型紙をユーザの体型に基づき修正して、衣料・服飾品を製造する技術が開示されている（例えば、特許文献１参照）。
【先行技術文献】
【特許文献】
【０００５】
【特許文献１】特開２０００−１８７６８３号公報
【発明の概要】
【発明が解決しようとする課題】
【０００６】
しかしながら、ユーザが希望する製品であるユーザ固有のユニフォームでは、ユーザは、希望するマークを希望する位置に形成されることを望む。また、ユーザが希望するマークは、マーク自体の質感や形状そして色等の各種の仕様について細かな指定がなされることが多い。これに対して、型紙をユーザの体型に基づき修正して製品を製造する技術では、ユーザの体型に応じた衣料・服飾品を製造できるものの、ユーザが希望するマーク自体の質感等を反映したマークを形成するには不十分である。
【０００７】
本発明は、上記事実を考慮して、ユーザの希望に適合するマーク付きユニフォームを簡単に提供することが可能なマーク付きユニフォームの製造支援システム、及び製造支援プログラムを提供することを目的とする。
【課題を解決するための手段】
【０００８】
開示の技術の第１態様のマーク付きユニフォームの製造支援システムは、ユニフォームを構成するユニフォーム基材の種類を示す基材データと、前記ユニフォーム基材の全面を撮影した全景画像を示す全景データと、前記ユニフォームに形成されたマークの位置、該位置に形成されたマークを撮影したマーク画像、及び前記マークの素材の各々を示す情報を関連付けたマークデータと、を記憶した記憶部と、前記記憶部に記憶された前記基材データと、前記全景データと、前記マークデータとを用いて、入力されたユニフォーム基材の種類に対応する前記ユニフォーム基材の全景画像を表示し、かつ前記全景画像の周囲に前記マーク画像が表示されるように表示部を制御する第１表示制御部と、前記マーク画像として他のマーク画像を表示可能に前記表示部を制御する第２表示制御部と、前記表示部に表示された前記ユニフォーム基材の種類、前記全景画像及び前記マーク画像によって、候補ユニフォームを決定し、かつ決定された候補ユニフォームを示す前記ユニフォーム基材の種類、前記全景画像及び前記マーク画像に対応する基材データ、全景データ及びマークデータに基づいて、ユニフォーム基材の種類、前記マークの位置及び前記マークの素材を含む注文ユニフォームに関する仕様を決定する決定部と、を備える。
【０００９】
第２態様では、前記記憶部は、ネットワークを介して接続される。
【００１０】
第３態様では、マーク付きユニフォームを製造した際に製造品を撮影し、かつ撮影した画像を含む前記製造品に関する前記基材データと、前記全景データと、前記マークデータと、を記憶部へ登録する登録部を更に含む。
【００１１】
第４態様では、前記登録部は、ネットワークを介して接続される。
【００１２】
開示の技術の第５態様のマーク付きユニフォームの製造支援プログラムでは、ユニフォームを構成するユニフォーム基材の種類を示す基材データと、前記ユニフォーム基材の全面を撮影した全景画像を示す全景データと、前記ユニフォームに形成されたマークの位置、該位置に形成されたマークを撮影したマーク画像、及び前記マークの素材の各々を示す情報を関連付けたマークデータと、を記憶した記憶部に記憶された前記基材データと、前記全景データと、前記マークデータとを用いて、入力されたユニフォーム基材の種類に対応する前記ユニフォーム基材の全景画像を表示し、かつ前記全景画像の周囲に前記マーク画像が表示されるように表示部を制御し、前記マーク画像として他のマーク画像を表示可能に前記表示部を制御し、前記表示部に表示された前記ユニフォーム基材の種類、前記全景画像及び前記マーク画像によって、候補ユニフォームを決定し、かつ決定された候補ユニフォームを示す前記ユニフォーム基材の種類、前記全景画像及び前記マーク画像に対応する基材データ、全景データ及びマークデータに基づいて、ユニフォーム基材の種類、前記マークの位置及び前記マークの素材を含む注文ユニフォームに関する仕様を決定することを含む処理をコンピュータに実行させる。
【発明の効果】
【００１３】
本発明によれば、ユーザの希望に適合するマーク付きユニフォームを簡単に提供することが可能なマーク付きユニフォームの製造支援システム、及び製造支援プログラムを提供することができる。
【図面の簡単な説明】
【００１４】
【図１】本発明の実施形態に係るマーク付きユニフォームの製造支援システムの一例を示す概念図である。
【図２】本発明の実施形態に係る注文側端末の構成の一例を示すブロック図である。
【図３】本発明の実施形態に係る製造側端末の構成の一例を示すブロック図である。
【図４】本発明の実施形態に係る蓄積サーバの構成の一例を示すブロック図である。
【図５】本発明の実施形態に係るユニフォームの撮影画像の一例を示す模式図である。
【図６】本発明の実施形態に係る、蓄積サーバに記憶されるデータベース構造の一例を示す概略図である。
【図７】本発明の実施形態に係るマーク付きユニフォームの製造支援システムにおけるデータの流れの一例を示す模式図である。
【図８】本発明の実施形態に係る製造側端末で実行される処理の流れの一例を示すフローチャートである。
【図９】本発明の実施形態に係る製造側端末における表示画面の一例を示すイメージ図である。
【図１０】本発明の実施形態に係る製造側端末における表示画面の一例を示すイメージ図である。
【図１１】本発明の実施形態に係る製造側端末における表示画面の一例を示すイメージ図である。
【図１２】本発明の実施形態に係る蓄積サーバで実行される処理の流れの一例を示すフローチャートである。
【図１３】本発明の実施形態に係る表示部ぼ表示画面に表示する選択指示可能な項目の入力値の一例を示すである。
【図１４】本発明の実施形態に係る注文側端末で実行される処理の流れの一例を示すフローチャートである。
【図１５】本発明の実施形態に係る注文側端末における表示画面の一例を示すイメージ図である。
【図１６】本発明の実施形態に係るマーク画像の表示制御処理の説明図である。
【図１７】本発明の実施形態に係る蓄積サーバで実行される処理の流れの一例を示すフローチャートである。
【図１８】本発明の実施形態に係るマーク付きユニフォームの製造支援システムにおける警告表示のための可否テーブルの一例を示すイメージ図である。
【発明を実施するための形態】
【００１５】
以下、添付の図面を参照しながら、本発明の実施形態について具体的に説明する。
なお、以下の説明において符号は適宜省略する場合がある。
また、以下の説明において「マーク」とは、色彩、模様、図柄、又はそれらの組み合わせによって構成された画像を意味する。
「マーク材料」とは、前記マークが形成されたマーク用生地を含む材料を意味する。
「ユニフォーム基材」とは、前記マークを形成する前のユニホーム生地材料または前記マークが形成されたマーク用生地を貼附する前のユニホーム生地材料を意味する。
「ユニフォーム」とは、ユニホーム生地材料に前記マークが形成されたユニホームの完成品またはユニホーム生地材料に前記マークが形成されたマーク用生地が貼附されたユニホームの完成品を意味する。
【００１６】
ところで、ユニフォームは、主として、例えば団体競技等においてチームとして統一性を持った服装である。また、チームとして服装に統一性を持たせるために、身体にまとう衣服、服飾品及び付属品に、マークを形成したりマークが形成されたマーク用生地を貼附する場合がある。身体にまとう衣服の一例には、シャツ、ズボン、スカート、スコート、帽子、手袋及び靴下などが挙げられる。服飾品にはシューズ、ベルト及びバッグなどが挙げられる。付属品には、タオル及び手ぬぐいなどの布製品が挙げられる。
本実施形態では、服装に統一性を持たせるための身体にまとう衣服、服飾品及び付属品の単品またはそれらの組み合わせによって例えばチームとして統一性を持たせる身の回りで用いるもの全般をユニフォームと総称して説明する。
【００１７】
なお、以下、説明を簡単にするため、シャツ等の服装をユニフォームの一例として説明する。
【００１８】
図１に、本実施形態に係るマーク付きユニフォームの製造支援システム１の構成の一例を示す。マーク付きユニフォームの製造支援システム１は、注文側端末２、蓄積サーバ３、製造側端末４、及びインターネット及びローカルエリアネットワーク等のネットワーク５を含んで構成されている。マーク付きユニフォームの製造支援システム１では、注文側端末２、蓄積サーバ３、及び製造側端末４の各々は、ネットワーク５に接続されており、ネットワーク５を介して画像データを含む各種のデータを授受可能に構成されている（詳細は後述）。
【００１９】
蓄積サーバ３は、開示の技術における記憶部及び決定部の一例である。注文側端末２及び製造側端末４は、開示の技術における第１表示制御部及び第２表示制御部の一例である。製造側端末４は、開示の技術における登録部の一例でもある。
【００２０】
なお、図１に示すマーク付きユニフォームの製造支援システム１は、注文側端末２として複数の注文側端末２−１〜２−ｍ（ｍ＞１）を含む構成を示すが、複数の注文側端末２−１〜２−ｍは略同様の構成であるので、以下の説明を簡単にするため、注文側端末２−１を注文側端末２と総称して説明する。また、複数の注文側端末２−１〜２−ｍの各々を区別する場合には、複数の注文側端末２−１〜２−ｍの何れかの符号を付して説明する。
同様に、図１に示すマーク付きユニフォームの製造支援システム１は、製造側端末４として複数の製造側端末４−１〜４−ｎ（ｎ＞１）を含む構成を示すが、複数の製造側端末４−１〜４−ｎは略同様の構成であるので、以下の説明を簡単にするため、製造側端末４−１を製造側端末４と総称して説明する。また、複数の製造側端末４−１〜４−ｎの各々を区別する場合には、複数の製造側端末４−１〜４−ｎの何れかの符号を付して説明する。
【００２１】
また、図１に示すマーク付きユニフォームの製造支援システム１は、１台の蓄積サーバ３を含む構成を示すが、複数の蓄積サーバ３を含む構成としてもよい。
【００２２】
図２に、ユニフォームを注文するユーザが操作する注文側端末２の構成の一例を示す。図２は、注文側端末２をコンピュータ２０で構成した一例を示す。
コンピュータ２０は、コンピュータ本体２１を備えており、コンピュータ本体２１は、ＣＰＵ（Ｃｅｎｔｒａｌ  Ｐｒｏｃｅｓｓｉｎｇ  Ｕｎｉｔ）２１Ａ、ＲＡＭ（Ｒａｎｄｏｍ  Ａｃｃｅｓｓ  Ｍｅｍｏｒｙ）２１Ｂ、ＲＯＭ（Ｒｅａｄ  Ｏｎｌｙ  Ｍｅｍｏｒｙ）２１Ｃ、及び入出力インターフェース（Ｉ／Ｏ）２１Ｅがバス２１Ｆを介して各々コマンド及びデータを授受可能に接続されている。また、Ｉ／Ｏ２１Ｅには、操作部２２、表示部２３、及び通信インタフェース（Ｉ／Ｆ）２４が接続されている。
【００２３】
通信Ｉ／Ｆ２４は、コンピュータ２０の外部の電子機器と、相互にデータ通信を行うためのインターフェースである。例えば、通信Ｉ／Ｆ２４は、ネットワーク５を介して蓄積サーバ３との間でデータ通信を行う。
【００２４】
表示部２３は、ディスプレイ等の画像及び情報を表示するデバイスを含んで構成され、操作部２２は、コンピュータ本体２１へデータ、コマンド及び表示部２３における表示位置を入力するキーボード２２Ｋ及びマウス２２Ｍ等の入力装置を含んで構成される。なお、表示部２３及び操作部２２は、操作指示の受け付けを実現する表示ボタンや各種情報が表示されるタッチパネル式のディスプレイによるハードウェア等で兼用してもよい。
【００２５】
コンピュータ本体２１に含まれるＲＯＭ２１Ｃには、コンピュータ本体２１に実行させる注文処理プログラム２１Ｐが格納されている。
【００２６】
注文処理プログラム２１Ｐは、詳細は後述するが、蓄積サーバ３に蓄積された画像データを用いてユニフォームの完成品候補のプレビュー画像を表示部２３へ表示するマーク画像の表示制御機能を有している。つまり、ＣＰＵ２１Ａが注文処理プログラム２１ＰをＲＯＭ２１Ｃから読み取りＲＡＭ２１Ｂに展開し、マーク画像の表示制御機能による処理を実行する。ＣＰＵ２１Ａがマーク画像の表示制御機能を含む処理を実行することで、コンピュータ本体２１は図１に示す注文側端末２として動作する。なお、注文処理プログラム２１Ｐは、ＣＤ−ＲＯＭ等の記録媒体により提供するようにしても良い。
【００２７】
図３に、ユニフォームを製造する製造者が操作する製造側端末４の構成の一例を示す。図３は、製造側端末４をコンピュータ４０で構成した一例を示す。
コンピュータ４０は、コンピュータ本体４１を備えており、コンピュータ本体４１は、ＣＰＵ４１Ａ、ＲＡＭ４１Ｂ、ＲＯＭ４１Ｃ、及び入出力インターフェース（Ｉ／Ｏ）４１Ｅがバス４１Ｆを介して各々コマンド及びデータを授受可能に接続されている。また、Ｉ／Ｏ４１Ｅには、操作部４２、表示部４３、通信インタフェース（Ｉ／Ｆ）４４、及び撮影部４５が接続されている。
【００２８】
通信Ｉ／Ｆ４４は、コンピュータ４０の外部の電子機器と、相互にデータ通信を行うためのインターフェースである。表示部４３は、ディスプレイ等の画像及び情報を表示するデバイスを含んで構成される。操作部４２は、前記注文側端末２のコンピュータ２０と同様に、コンピュータ本体４１へデータ、コマンド及び表示部４３における表示位置を入力するキーボード４２Ｋ及びマウス４２Ｍ等の入力装置を含んで構成される。
【００２９】
撮影部４５は、ユニフォームの完成品を撮影するカメラ等のデバイスを含んで構成される。
【００３０】
コンピュータ本体４１に含まれるＲＯＭ４１Ｃには、コンピュータ本体４１に実行させるアプリケーションプログラム４１Ｐが格納されている。アプリケーションプログラム４１Ｐは、詳細は後述するが、製造したユニフォームを撮影した画像を蓄積サーバ３に登録する登録機能を有している。つまり、ＣＰＵ４１Ａがアプリケーションプログラム４１ＰをＲＯＭ４１Ｃから読み取りＲＡＭ４１Ｂに展開し、登録機能による処理を実行する。ＣＰＵ４１Ａが登録機能による処理を実行することで、コンピュータ本体４１は図１に示す製造側端末４として動作する。なお、アプリケーションプログラム４１Ｐは、ＣＤ−ＲＯＭ等の記録媒体により提供するようにしても良い。
【００３１】
図４に、蓄積サーバ３の構成の一例を示す。図４は、蓄積サーバ３をコンピュータ３０で構成した一例を示す。
コンピュータ３０は、コンピュータ本体３１を備えており、コンピュータ本体３１は、ＣＰＵ３１Ａ、ＲＡＭ３１Ｂ、ＲＯＭ３１Ｃ、及び入出力インターフェース（Ｉ／Ｏ）３１Ｅがバス３１Ｆを介して各々コマンド及びデータを授受可能に接続されている。また、Ｉ／Ｏ３１Ｅには、操作部３２、表示部３３、通信インタフェース（Ｉ／Ｆ）３４、及びデータメモリ３５が接続されている。
【００３２】
通信Ｉ／Ｆ３４は、コンピュータ３０の外部の電子機器と、相互にデータ通信を行うためのインターフェースである。表示部３３は、ディスプレイ等の画像及び情報を表示するデバイスを含んで構成され、操作部３２は、キーボード及びマウス等の入力装置を含んで構成される（図示省略）。
【００３３】
データメモリ３５は、ユニフォームを撮影した画像を示す画像データを含む各種データを格納する。なお、本実施形態では、データメモリ３５は、ユニフォームを撮影した画像を示す画像データを格納する第１メモリ３５Ａと、画像データが示すユニフォームの完成品の仕様を示すデータを格納する第２メモリ３５Ｂとを含んでいる。
【００３４】
コンピュータ本体３１に含まれるＲＯＭ３１Ｃには、コンピュータ本体３１に実行させるデータベース処理プログラム３１Ｐが格納されている。データベース処理プログラム３１Ｐは、製造側端末４からのデータをデータメモリ３５に格納することで、多数のデータをデータベースとして記憶したり、データメモリ３５に記憶されたデータベースを用いてユニフォームの完成品候補のプレビュー画像等のデータを注文側端末２へ送信したりするデータベース処理機能を有している。つまり、ＣＰＵ３１Ａがデータベース処理プログラム３１ＰをＲＯＭ３１Ｃから読み取りＲＡＭ３１Ｂに展開し、データベース処理機能による処理を実行する。ＣＰＵ３１Ａがデータベース処理機能による処理を実行することで、コンピュータ本体３１は図１に示す蓄積サーバ３として動作する。なお、データベース処理プログラム３１Ｐは、ＣＤ−ＲＯＭ等の記録媒体により提供するようにしても良い。
【００３５】
ところで、ユーザは、ユーザ固有のユニフォームを完成品として希望して注文する場合が多い。例えば、ユーザは、ユニフォーム基材、マーク位置、及びマークの形状や色等各々を指定する場合がある。しかし、ユーザがユニフォーム基材及びマークに細かな希望がある場合、完成品を想定したユニフォームの注文を決定することは容易ではない。そこで、本実施形態では、既に製造済みのユニフォームを撮影した画像の中からユニフォーム基材及びマークを選択することで、ユーザが希望するユニフォームの完成品の候補を短時間で決定するシステムを提供する。
【００３６】
図５に、ユーザが指定したマーク及びユニフォーム基材により製造されたユニフォームを撮影した画像の一例を模式的に示す。図５（Ａ）は、ユニフォームを前面から撮影した画像７０Ａの一例を示し、図５（Ｂ）は、ユニフォームを背面から撮影した画像７０Ｂの一例を示す。
【００３７】
図５（Ａ）に示す画像７０Ａは、胸マーク７３、袖マーク７４、及びロゴ等の規定マーク（以下、エンブレムという）７６の各々が前面に形成されたユニフォーム前面７１を撮影した前面全景画像を示している。全景画像とは、形成されたマークを含むユニフォーム基材を撮影した、例えば主要な面の全面の撮影画像であり、撮影対象のユニフォームの面は平面的な面であってもよく、立体的な面であってもよい。また、以下に説明するマークについても同様である。胸マーク７３は、ユニフォーム基材における胸部分の第１所定領域７０Ｃ−１内と、第２所定領域７０Ｃ−２内とに形成されている。この胸マーク７３は、チームのロゴや名称等をマークとすることができる。袖マーク７４は、ユニフォーム基材における袖部分の所定領域７０Ｄ内に形成されている。袖マーク７４も、チームのロゴや名称等をマークとすることができる。エンブレム７６は、ユニフォーム基材における胸部分の所定領域７０Ｆ内に形成されている。このエンブレム７６は、ユニフォーム基材に予め形成されたマークが挙げられる。
【００３８】
また、図５（Ｂ）に示す画像７０Ｂは、背面ネーム７５が背面に形成されたユニフォーム背面７２を撮影した背面全景画像を示している。背面ネーム７５は、ユニフォーム基材における背面部分の所定領域７０Ｅ内に形成されている。背面ネーム７５は、使用者の名前、チーム名、番号などのネームをマークとすることができる。
【００３９】
図５（Ａ）に示す画像７０Ａによる前面全景画像及び図５（Ｂ）に示す画像７０Ｂによる背面全景画像は、開示の技術に係る全景画像の一例である。また、胸マーク７３、袖マーク７４、背面ネーム７５、及びエンブレム７６の各々を個別に撮影した画像は、開示の技術に係るマーク画像の一例である。
【００４０】
なお、ユニフォームに形成するマークは、胸マーク７３、袖マーク７４、背面ネーム７５、及びエンブレム７６の４種類に限定されるものではないことは勿論である。例えば、胸マーク７３、袖マーク７４、背面ネーム７５、及びエンブレム７６の何れか１つでもよく、図５に示す領域以外の領域に形成するマークでもよい。本実施形態では、ユニフォームに形成するマークは、胸マーク７３、袖マーク７４、背面ネーム７５、及びエンブレム７６の４種類を一例として説明する。
【００４１】
これらユニフォームに形成された胸マーク７３、袖マーク７４、背面ネーム７５、及びエンブレム７６の各々は、製造側端末４で撮影され、撮影されたマークの撮影画像（以下、マーク画像という。）は、蓄積サーバ３のデータベースに登録される。
【００４２】
図６に、蓄積サーバ３に記憶されるデータベース構造の一例を示す。図６（Ａ）は、蓄積サーバ３に記憶されるデータベースのレコードのうち、注文側端末２のユーザに公開する公開データの一例を示し、図６（Ｂ）は、注文側端末２のユーザに非公開でかつ、製造側端末４の製造者側に公開する非公開データの一例を示す。つまり、蓄積サーバ３のデータベースには、公開データと、非公開データとを含むレコードが記憶される。
【００４３】
図６（Ａ）に示すように、レコードに含まれる公開データの構造は、公開をステータスとする複数のフィールドから構成される。具体的には、公開データのフィールドは、レコードを識別するための識別番号（「Ｎｏ．」とラベル表記）の値を格納するフィールド、及びユニフォームを注文するユーザ名等の名称（「チーム名」とラベル表記）の値を格納するフィールドを含んでいる。また、公開データのフィールドは、ユニフォーム基材（「ユニフォームの種類」とラベル表記）、撮影した画像（「マーク画像」とラベル表記）、及び費用（「価格」とラベル表記）の各値を格納するフィールドを含んでいる。
ユニフォーム基材（ユニフォームの種類）のフィールドは、ユニフォームを用いる競技、ユニフォームの部位を示すアイテム、メーカ、及び色の分類項目に対する各値を格納する各フィールドを含んでいる。
撮影した画像（マーク画像）のフィールドは、データベースに登録する画像として、前面全景であるユニフォーム前面７１、背面全景であるユニフォーム背面７２、胸マーク７３、袖マーク７４、背面ネーム７５、及びエンブレム７６の各々を撮影した画像（マーク画像）を示す値（例えば画像データ名）を格納するフィールドを含んでいる。なお、フィールドに格納するマーク画像の各値は、画像が存在しない場合は空とする。
費用のフィールドは、マークの価格及びマークが形成されたユニフォーム全体の総価格を示す値を格納するフィールドを含んでいる。
【００４４】
図６（Ｂ）に示すように、非公開データの構造は、非公開をステータスとする複数のフィールドから構成される。具体的には、非公開データのフィールドは、日付、ＩＤ、マーク仕様、及び作業伝票（仕様書）とラベル表記した項目の各値を格納する各フィールドを含んでいる。なお、図６（Ｂ）では、公開データと非公開データとが同一レコードに含まれることを示すために、公開レコードにおける識別番号と同一の識別番号を便宜上表記した。蓄積サーバ３のデータベースには、公開データと、非公開データとを含むレコードが記憶されるので、１レコードには、１識別番号でよい。
日付のフィールドは、ユニフォームの受注日、及び納品日の分類項目に対する各値を格納する各フィールドを含んでいる。
ＩＤのフィールドは、ユニフォームを製造する工場を識別するための製造側ＩＤ、及び受注店舗等の注文側ＩＤの各値を格納する各フィールドを含んでいる。
マーク仕様のフィールドは、図６（Ａ）に示す撮影した画像（マーク画像）のフィールドに格納した画像に対応するユニフォーム全体及びマーク個別の製造に関する情報を格納する各フィールドを含んでいる。具体的には、前面全景、背面全景、胸マーク、袖マーク、背面ネーム、及びエンブレムとラベル表記した分類項目の製造に関する各情報の値を格納する各フィールドを含んでいる。製造に関する情報の一例には、マークを構成するマーク材料の種類、及びマークを形成する際の製造技法が挙げられる。なお、前面全景、及び背面全景は、その値を空欄としてもよい。また、他のデータ名の値も、図６（Ａ）に示す撮影した画像を示す値が存在しない場合は空欄とする。
なお、作業伝票のフィールドは、ユニフォームを製造する際の詳細な作業伝票を示す情報を格納するフィールドであり、既存の作業伝票を示す値を格納することができる。この場合、既存の作業伝票をスキャンしたスキャンデータを値として用いることができる。
【００４５】
本実施形態に係る蓄積サーバ３のデータベースは、製造済みのユニフォーム及びマークを撮影した画像の値（例えば画像データ名）を蓄積する共に、少なくともマークのマーク仕様の値も、関連付けて蓄積する。つまり、データベースには、公開データ及び非公開データを含むレコードが蓄積されるので、データベースに蓄積された複数のマークの中から何れか１マークを特定することで、特定されたマークのマーク仕様も特定することが可能になる。
【００４６】
次に、本実施形態に係るマーク付きユニフォームの製造支援システム１の作用を説明する。
図７に、マーク付きユニフォームの製造支援システム１におけるデータの流れの一例を模式的に示す。
【００４７】
マーク付きユニフォームの製造支援システム１では、製造側でマーク付きユニフォームの製造が完了すると、製造側端末４のコンピュータ４０において、製造が完了したユニフォームに関するデータ、つまり少なくともマークが撮影された画像を含む公開データ５０（図６（Ａ）参照）と非公開データ５１（図６（Ｂ）参照）とが入力される。そして、製造側端末４のコンピュータ４０は、製造が完了したユニフォームに関する公開データ５０と非公開データ５１とを、蓄積サーバ３に送信する（実線矢印６１）。蓄積サーバ３のコンピュータ３０は、製造側端末４からの製造が完了したユニフォームに関する公開データ５０と非公開データ５１とを、レコードＲＤとしてデータベースに登録する。このようにして、製造が完了したユニフォームに関するデータ（公開データ５０及び非公開データ５１）がデータベースのレコードとして複数蓄積される。
【００４８】
一方、ユーザがマーク付きユニフォームを注文する場合、マークやユニフォームの仕様を決定する。マーク付きユニフォームの製造支援システム１では、注文側端末２のコンピュータ２０において、蓄積サーバ３に蓄積された製造が完了したユニフォームに関する公開データ５０を１又は複数取得し、公開データ５０によるマークが撮影された画像（マーク画像）を表示する。つまり、注文側端末２のコンピュータ２０は、蓄積サーバ３のコンピュータ３０から少なくともマーク画像を含む公開データ５０を取得する（実線矢印６２）。ユーザは、注文側端末２のコンピュータ２０を操作して希望するユニフォーム基材やマークを指定する。つまり、注文側端末２のコンピュータ２０は、ユーザにより指定された希望するユニフォーム基材やマークを示す値の公開データ５０を注文候補データ５２として蓄積サーバ３に送信する（点線矢印６３）。
【００４９】
蓄積サーバ３のコンピュータ３０は、注文側端末２のコンピュータ２０からの注文候補データ５２におけるユニフォーム基材やマークの画像に対応する非公開データ５１を注文詳細データ５３として抽出する。そして、蓄積サーバ３は、注文を決定する。つまり、蓄積サーバ３のコンピュータ３０は、ユニフォームの注文として、注文候補データ５２を公開データとし、注文詳細データ５３を非公開データとする注文データを決定し、データベースに登録すると共に、その注文データを製造側端末４のコンピュータ４０へ送信する。
【００５０】
次に、マーク付きユニフォームの製造支援システム１の各部の作動を詳細に説明する。
まず、製造側端末４で、製造済みの完成品であるユニフォームについて、全景及びマークを撮影した画像を蓄積サーバ３に登録する処理を説明する。
【００５１】
図８に、製造側端末４のコンピュータ４０のＣＰＵ４１Ａにより実行されるアプリケーションプログラム４１Ｐの処理の流れを示す。
アプリケーションプログラム４１Ｐは、製造側のユーザによる操作部４２の操作によって実行の指示を受け付けた際に、ＣＰＵ４１Ａにより実行される。
【００５２】
まず、ステップＳ２００では、作業伝票データが取得される。ここでは、通常の作業伝票を受け取って、その作業伝票におけるデータを入力した場合の入力データを作業伝票データとして取得する場合を説明する。
【００５３】
図９に、製造側端末４のコンピュータ４０において作業伝票のデータが入力された場合における表示部４３の表示画面の一例を表示画面８０として示す。
【００５４】
図９に示す表示画面８０には、製造するマーク付きユニフォームに関係する各種の入力値を表示する表示領域を含んでいる。具体的には、作業伝票の識別番号の表示領域、及び注文したユーザ名等のチーム名の表示領域が設定されている。また、ユニフォームの受注日の表示領域、納品日の表示領域、受注店舗等の注文側ＩＤの表示領域、ユニフォームの製造場の製造側ＩＤの表示領域、及びマークの価格及びユニフォーム全体の総価格の表示領域が設定されている。また、作業伝票の詳細内容等を示すの表示領域も設定されている。作業伝票の表示領域には、既存の作業伝票をスキャンしたスキャンデータのデータ名を入力して表示することができる。そして、注意項目等の内容を入力して備考として表示するための表示領域も設定されている。
【００５５】
また、表示画面８０には、ユニフォームを用いる競技の表示領域、ユニフォームの部位を示すアイテムの表示領域、ユニフォーム基材のメーカ名の表示領域、及びユニフォームの色の表示領域が設定されている。色の表示領域は、複数の各色の指示ボタンを含み、何れか１つのボタンを押圧することで、色の指定ができるようになっている。なお、表示画面８０の下方には、マーク画像関連入力ボタン８０Ｐと、キャンセルボタン８０Ｑとが設定されている。キャンセルボタン８０Ｑは押圧により、アプリケーションプログラム４１Ｐを強制終了または再起動するための指示ボタンである。マーク画像関連入力ボタン８０Ｐは、詳細を後述する製造が完了したマーク付きユニフォームのマークを撮影したマーク画像を指定するための指示ボタンである。
【００５６】
従って、図８のステップＳ２００では、操作部４２の操作により入力された作業伝票におけるデータを作業伝票データとして取得する。
次のステップＳ２０２では、作業伝票に従ってマーク付きユニフォームを製造する指示を出力し、製造完了の入力がなされるまで、次のステップＳ２０４で否定判断を繰り返す。このマーク付きユニフォームを製造する指示の出力は、表示部４３への製造開始の指示メッセージの表示、及び紙媒体への出力が挙げられる。
【００５７】
マーク付きユニフォームの製造が開始され、その製造が完了されると、操作部４２の操作により製造完了の入力がなされ、ステップＳ２０４で肯定判断されて、ステップＳ２０６へ処理が移行される。
【００５８】
ここで、図９に示す表示画面８０では、マーク画像関連入力ボタン８０Ｐの押圧による入力がマーク付きユニフォームの製造完了の入力を兼ねる。つまり、操作部４２の操作によりマーク画像関連入力ボタン８０Ｐが押圧されると、ステップＳ２０４で肯定判断されて、ステップＳ２０６においてマーク画像関連入力処理が実行される。マーク画像関連入力処理は、ユニフォーム基材に形成されたマークを撮影部４５で撮影したマーク画像を、蓄積サーバ３への登録用に指定する処理である。
【００５９】
図１０に、製造側端末４のコンピュータ４０においてマーク画像関連入力ボタン８０Ｐが押圧されてマーク画像関連入力処理が実行された場合における表示部４３の表示画面の一例を表示画面８２として示す。
【００６０】
図１０に示す表示画面８２には、入力された値を表示する表示領域を含んでいる。具体的には、ユニフォーム前面７１を撮影した前面全景のマーク画像に関するデータを入力表示するための入力表示領域８２Ａが設定されている。入力表示領域８２Ａは、マーク画像を選択する撮影画像選択領域８２Ｂ、選択されたマーク画像を表示する表示領域８２Ｃ、及び選択されたマーク画像のマーク仕様を入力表示する入力表示領域８２Ｄを含んでいる。つまり、撮影部４５でユニフォーム前面７１を撮影した前面全景のマーク画像の画像データは、製造側端末４のコンピュータ４０に記憶される。記憶された画像データのデータ名は、撮影画像選択領域８２Ｂに表示され、操作部４２の操作により表示されたデータ名を選択することで、選択された画像データによる前面全景のマーク画像が表示領域８２Ｃに表示される。入力表示領域８２Ｄは、選択された前面全景のマーク画像に関するマーク仕様の入力表示のための領域である。つまり、マーク画像として撮影されたマークを含む対象物である、ユニフォーム全体及びマーク材料の何れかの製造に関する情報が操作部４２の操作により入力され、入力された情報が入力表示領域８２Ｄに表示される。従って、入力表示領域８２Ａには、ユニフォーム前面７１を撮影した前面全景のマーク画像及びマーク仕様が入力により指定されて表示される。
【００６１】
そして、ユニフォーム背面７２を撮影した背面全景、胸マーク、袖マーク、背面ネーム、及びエンブレムの各々についても撮影したマーク画像及びマーク仕様が入力により指定されて表示される。なお、ユニフォーム背面７２を撮影した背面全景、胸マーク、袖マーク、背面ネーム、及びエンブレムの各々については前記の前面全景に関する説明と同様のため、詳細な説明を省略する。
【００６２】
また、表示画面８２の下方には、指定完了ボタン８２Ｐと、キャンセルボタン８２Ｑとが設定されている。キャンセルボタン８２Ｑは押圧により、マーク画像関連入力処理を強制終了し直前の処理（ステップＳ２０４の判断処理）に処理を戻すための指示ボタンである。一方、指定完了ボタン８２Ｐは、マーク画像及びマーク仕様の指示が完了したことを指定するための指示ボタンである。つまり、指定完了ボタン８２Ｐは、前面全景、背面全景、胸マーク、袖マーク、背面ネーム、及びエンブレムの少なくとも１つのマーク画像及びマーク仕様が入力により指定されて表示されたことが確認された場合にユーザにより押圧される。指定完了ボタン８２Ｐの押圧によりマーク画像関連入力処理が終了され、図８のステップＳ２０８へ処理が移行される。
【００６３】
ステップＳ２０８は、ステップＳ２０６で指定されたマーク画像及びマーク仕様を、少なくとも含むデータを蓄積サーバ３へ登録する処理である。
ステップＳ２０８におけるデータを蓄積サーバ３へ登録する処理は、開示の技術における登録部における機能の一例である。
【００６４】
図１１に、指定完了ボタン８２Ｐ（図１０）が押圧されて、ステップＳ２０８の登録処理が実行された場合における表示部４３の表示画面の一例を表示画面８４として示す。
【００６５】
図１１に示す表示画面８４には、図９に示す表示画面８０に、ステップＳ２０６で指定されたマーク画像及びマーク仕様を示すデータを表示する表示領域が追加されている。また、表示画面８４の下方には、登録ボタン８４Ｐと、キャンセルボタン８４Ｑとが設定されている。キャンセルボタン８４Ｑは押圧により、アプリケーションプログラム４１Ｐを強制終了または直前の処理（ステップＳ２０６のマーク画像関連入力処理）に処理を戻すための指示ボタンである。
【００６６】
登録ボタン８４Ｐは、製造が完了したマーク付きユニフォームに関するデータをデータベースのレコードＲＤとして登録を指示するための指示ボタンである。つまり、製造側端末４のコンピュータ４０は、図１１に示す表示画面８４に表示された各値を蓄積サーバ３のコンピュータ３０へ送信し、公開データ及び非公開データからなるレコードＲＤとしてデータベースに登録を指示する。このレコードＲＤのデータベースへの登録の指示がなされた後、図８に示す処理ルーチンは終了する。これによって、蓄積サーバ３のコンピュータ３０は、製造側端末４のコンピュータ４０から送信された公開データ及び非公開データを、レコードＲＤとしてデータベースに登録する。
【００６７】
図１２に、蓄積サーバ３のコンピュータ３０のＣＰＵ３１Ａにより実行されるデータベース処理プログラム３１Ｐの処理の流れを示す。ここでは、レコードＲＤをデータベースに登録する処理を説明する。
データベース処理プログラム３１Ｐは、所定時間毎又はネットワーク５から応答要求がなされた際に、ＣＰＵ３１Ａにより実行される。ここでは、ネットワーク５から応答要求がなされた場合を説明する。
【００６８】
まず、ステップＳ３００では、ネットワーク５を介して受け取った応答要求がデータベースへの登録指示であるか否かが判断される。ステップＳ３００で否定された場合は、そのまま本処理ルーチンを終了する。一方、ステップＳ３００で肯定された場合は、ステップＳ３０２へ処理を移行し、公開データ及び非公開データを取得する。つまり、製造側端末４のコンピュータ４０から送信された公開データ及び非公開データを取得し、次のステップＳ３０４で、公開データ及び非公開データを、レコードＲＤとしてデータベースに登録し、本処理ルーチンを終了する。
【００６９】
上記製造側端末４のコンピュータ４０では、操作部４２の操作により情報を入力する場合を説明したが、入力する情報の値が予め定めた複数の値から選択することで特定可能な場合は、複数の値から選択することで入力するようにしてもよい。
【００７０】
図１３に、図９に示す表示画面８０の表示領域に表示する入力値を選択指示可能な項目の一例を示す。具体的には、ユニフォームを用いる競技、ユニフォームの部位を示すアイテム、ユニフォーム基材のメーカ名、及びユニフォームの色の各々について、予め定めた複数の選択肢が予め定められている。これらの選択肢から何れか１を選択することで、ユーザによる入力工数を削減することができる。
【００７１】
次に、注文側端末２で、マーク付きユニフォームを注文する処理を説明する。
図１４に、注文側端末２のコンピュータ２０のＣＰＵ２１Ａにより実行される注文処理プログラム２１Ｐの処理の流れを示す。
注文処理プログラム２１Ｐは、注文側のユーザによる操作部２２の操作によって実行の指示を受け付けた際に、ＣＰＵ２１Ａにより実行される。
【００７２】
まず、ステップＳ１００では、注文側端末２のコンピュータ２０の操作部２２の操作によって表示部２３に表示された、マーク付きユニフォームの注文に関係する注文用入力データを取得する。
なお、本実施形態では、注文側端末２のコンピュータ２０を操作するユーザが表示画面を参照しつつ、注文用入力データを入力し、マーク付きユニフォームを注文する場合を説明する。
【００７３】
図１５に、注文用入力データの入力を支援するために、注文側端末２のコンピュータ２０の表示部２３に、予め定めたフォーマット形式で表示された表示画面の一例を表示画面８６として示す。
【００７４】
図１５に示す表示画面８６を、表示部２３に表示する表示制御処理は、開示の技術における第１表示制御部及び第１表示制御部における機能の一例である。
【００７５】
図１５に示す表示画面８６は、表示領域８６−１、８６−２、８６−３を含んでいる。具体的には、表示領域８６−１は、主としてテキスト入力された値を表示する表示領域であり、前記の図９に示す表示画面８０と同様の構成である。つまり、図９に示す表示画面８０と同様に図１５に示す表示領域８６−１に、ユーザによる注文側端末２のコンピュータ２０の操作部２２の操作によって入力されたマーク付きユニフォームに関係する各種の入力値が表示される。
【００７６】
表示領域８６−２は、詳細を後述するマーク画像の表示制御処理によって、表示領域８６−１に表示された入力値に対応するマーク画像を主として表示する表示領域である。
【００７７】
図１６に、表示領域８６−２に表示されるマーク画像の一例を示す。
図１６では、表示領域８６−２の中央部の所定領域８７Ａに、製造済みのマーク付きユニフォーム前面７１を撮影した前面全景画像が表示される。また、図１６では、中央部の所定領域８７Ａの周囲に、画像を表示するための所定領域８７Ｂ、８７Ｃ−１、８７Ｃ−２、８７Ｄ、８７Ｅ、８７Ｆが設定されている。所定領域８７Ｂには、製造済みのマーク付きユニフォーム背面７２を撮影した背面全景画像が表示される。所定領域８７Ｃ−１には、ユニフォームの第１の胸部分に形成された第１の胸マーク７３−１のマーク画像が表示され、所定領域８７Ｃ−２には、第２の胸部分に形成された第２の胸マーク７３−２のマーク画像が表示される。所定領域８７Ｄには、ユニフォームの袖部分に形成された袖マーク７４のマーク画像が表示され、所定領域８７Ｅには、ユニフォームの背面部分に形成された背面ネーム７５のマーク画像が表示される。所定領域８７Ｆには、ユニフォームの胸部分に形成されたエンブレム７６のマーク画像が表示される。
【００７８】
これらの所定領域８７Ａ、８７Ｂ、８７Ｃ−１、８７Ｃ−２、８７Ｄ、８７Ｅ、８７Ｆの各々の下方には、詳細を後述するマーク画像の一覧表示を指示する指示ボタン８８Ａ、８８Ｂ、８８Ｃ−１、８８Ｃ−２、８８Ｄ、８８Ｅ、８８Ｆの各々が設定されている。また、表示領域８６−２の下方には、詳細を後述するマーク画像の一覧表示が指示された場合に、マーク画像の一覧表示をするための表示領域８９が設定される。
【００７９】
また、これらの所定領域８７Ａ、８７Ｂ、８７Ｃ−１、８７Ｃ−２、８７Ｄ、８７Ｅ、８７Ｆの各々には、ステップＳ１００で注文用入力データが取得された後にマーク画像が表示され、それまでは空欄とする。なお、所定領域８７Ａ、８７Ｂ、８７Ｃ−１、８７Ｃ−２、８７Ｄ、８７Ｅ、８７Ｆの各々に表示する初期マーク画像を予め定めておき、注文用入力データが入力され、取得されるまで、初期マーク画像を表示してもよい。
【００８０】
次に、図１４に示すステップＳ１０２では、マーク画像の出力を蓄積サーバ３へ要請し、要請したマーク画像の画像データを取得して表示する。次のステップＳ１０４では、マーク画像の表示制御処理を実行する。詳細は後述するが、マーク画像の表示制御処理は、蓄積サーバ３に蓄積された製造済みのマーク付きユニフォームの全景及びマークを撮影した画像の中からユーザが希望する候補を選択を提示可能とする処理である。次のステップＳ１０６では、このマーク画像の表示制御処理の実行時に注文ボタン８６Ｐが押圧されたか否かを判別することによって、注文指示されたか否かを判断する。ステップＳ１０６で否定された場合は、ステップＳ１００へ処理を戻し、肯定された場合は、ステップＳ１０８において注文データを出力して、本処理ルーチンを終了する。
【００８１】
ところで、ユーザは、ユーザ自身で、ユニフォームへマークが形成されたマーク用生地を貼附することを希望する場合がある。この場合、手動操作によって、注文データにユーザ自身でマークが形成されたマーク用生地を貼附することを希望することを示す情報を含める処理を追加すればよい。また、ユーザ自身でマークが形成されたマーク用生地を貼附することを希望することを示す情報は、備考や特記事項として、含めるようにしてもよい。この場合、ユニフォームへ貼附するマークが形成されたマーク用生地の単品を注文する注文データを生成するようにしてもよい。
【００８２】
ここで、図１４に示すステップＳ１０２、Ｓ１０４は、蓄積サーバ３からユーザが希望するマーク付きユニフォームのマーク画像の提示を要請する処理を含む。
【００８３】
つまり、注文側端末２のコンピュータ２０は、注文用入力データを蓄積サーバ３のコンピュータ３０へ送信し、注文用入力データに対応するマーク画像の各々の送信を要請し、受信したマーク画像を表示する（ステップＳ１０８）。そして、ユーザが希望するマーク付きユニフォームのマーク画像が表示されるまで、蓄積サーバ３のデータベースに蓄積されたマーク画像の送信を要請する。ユーザが希望するマーク付きユニフォームのマーク画像の候補が指示された際には（ステップＳ１０６）、表示されたマーク画像の各値を注文データとして蓄積サーバ３のコンピュータ３０へ送信する（ステップＳ１０８）。蓄積サーバ３のコンピュータ３０は、注文側端末２のコンピュータ２０から送信された注文データを用いて、公開データ及び非公開データを特定し、注文を決定する。
【００８４】
図１７に、蓄積サーバ３のコンピュータ３０のＣＰＵ３１Ａにより実行されるデータベース処理プログラム３１Ｐの処理の流れを示す。ここでは、注文側端末２からの要請に応じ、かつデータベースを用いて注文を決定する処理を説明する。
データベース処理プログラム３１Ｐは、所定時間毎又はネットワーク５から応答要求がなされた際に、ＣＰＵ３１Ａにより実行される。ここでは、ネットワーク５から応答要求がなされた場合を説明する。
【００８５】
まず、ステップＳ３１０では、ネットワーク５を介して受け取った応答要求が、マーク画像の送信要請であるか否かを判別することによって、マーク付きユニフォームの注文であるか否かが判断される。ステップＳ３１０で否定された場合は、そのまま本処理ルーチンを終了する。一方、ステップＳ３１０で肯定された場合は、ステップＳ３１２へ処理を移行し、マーク画像の送信要請を判定する。このマーク画像の送信要請の判定は、注文側端末２のコンピュータ２０からの注文用入力データのうちマーク画像を特定するための値を判定する処理である。例えば、ユニフォーム基材（ユニフォームの種類）を示す値を特定することでマークを形成するユニフォーム基材と判定できる。より詳細には、ユニフォームを用いる競技、ユニフォームの部位を示すアイテム、メーカ、及び色の分類項目の各値を特定することで、より具体的なユニフォーム基材を判定できる。また、ユニフォーム基材に形成するマークの位置を特定することでマークを判定できる。つまり、ユニフォーム前面７１、ユニフォーム背面７２、胸マーク７３、袖マーク７４、背面ネーム７５、及びエンブレム７６の少なくとも１つのマークと特定することでユニフォーム基材に形成するマークを判定できる。
【００８６】
次のステップＳ３１４では、ステップＳ３１２の判定結果を用いて送信要請されたマーク画像を含むレコードＲＤをデータベースから抽出し、レコードＲＤの公開データのうち少なくともマーク画像を注文側端末２のコンピュータ２０へ返信する。ステップＳ３１４で複数のレコードＲＤがデータベースから抽出された際に１以上の所定数のレコードＲＤを返信する場合、予め定めた優先順位に応じて特定する。優先順位に応じてレコードＲＤを特定する場合、登録日が最新のレコードＲＤから順に、最古のレコードＲＤから順に、抽出回数が最大のレコードＲＤから順に、及びデフォルトとして定めたレコードＲＤから順に特定すればよい。
【００８７】
次のステップＳ３１６では、注文データを受信したか否かを判別することで、マーク画像の送信要請が終了したか否かを判断する。ステップＳ３１６で否定された場合は、ステップＳ３１２へ処理を戻し、肯定された場合は、ステップＳ３１８で、受信した注文データに対応する公開データ及び非公開データを特定する。つまり、注文側端末２のコンピュータ２０から送信された注文データには、ユーザが希望するマーク付きユニフォームのマーク画像が指定されている。従って、注文データに含まれるマーク画像を公開データとすると共に、データベースを用いて、そのマーク画像に関連づけられたマーク仕様を検索して検索結果のマーク仕様を非公開データと特定する。次のステップＳ３２０では、注文の決定処理を実行し、本処理ルーチンを終了する。この注文の決定処理は、ステップＳ３１８における公開データ及び非公開データの特定により注文を決定したとする。このステップＳ３２０では、特定した公開データ及び非公開データを、注文済みのレコードＲＤとしてデータベースに登録し、特定した公開データ及び非公開データを用いて製造側への作業伝票を作成し、製造側端末４のコンピュータ４０へ送信することができる。
【００８８】
ステップＳ３２０の処理は、開示の技術における決定部における機能の一例である。また、注文データによるユニフォームは、開示の技術における候補ユニフォームの一例であり、注文が決定された公開データ及び非公開データによるユニフォームは、開示の技術における決定ユニフォームの一例である。
【００８９】
なお、ユーザが、ユーザ自身で、ユニフォームへマークが形成されたマーク用生地を貼附することを希望する場合がある。この場合、注文データにユーザ自身でマークが形成されたマーク用生地を貼附することを希望することを示す情報が予め含まれる場合には、その情報を用いて、マークが形成されたマーク用生地を別個に納品されるように作業伝票を作成するようにすればよい。この場合、マークが形成されたマーク用生地を単品が納品されるように作業伝票を作成するようにしてもよい。また、ユーザ自身でマークが形成されたマーク用生地を貼附することを希望することを示す情報は、注文データに予め含めることに限定されるものではなく、上記の注文の決定処理において、備考や特記事項として、手動入力によってマーク用生地を貼附することを希望することを示す情報を含めるようにしてもよい。
【００９０】
次に、注文側端末２のコンピュータ２０で実行されるマーク画像の表示制御処理（図１４に示すステップＳ１０４の処理）をさらに説明する。このマーク画像の表示制御処理は、蓄積サーバ３に蓄積された製造済みのマーク付きユニフォームの全景及びマークを撮影した画像の中から、候補となるマーク画像を表示する処理である。
【００９１】
図１６に示すように、例えばユニフォーム基材（ユニフォームの種類）を示す値等の注文用入力データが入力されると、注文用入力データに対応する製造済みのマーク付きユニフォームを撮影したマーク画像の各々が表示領域の各々に表示される。
【００９２】
ユーザは、表示された製造済みのマーク付きユニフォームにおけるマーク画像と、希望するマーク付きユニフォームの完成品のマーク画像とが適合する場合、表示されたマーク画像と同様の条件（マーク仕様）のマーク付きユニフォームを注文すればよい。一方、例えば、胸マーク７３がユーザの希望に不適合の場合、ユーザは他の胸マーク７３の表示を望む。この場合、マーク画像の表示制御処理は、蓄積サーバ３に蓄積された製造済みのマーク付きユニフォームの胸マーク７３を撮影した画像の中から、候補となるマーク画像を表示する。
【００９３】
具体的には、ユーザは、所定領域８７Ｃ−１に表示された第１の胸マーク７３−１のマーク画像から他の胸マーク７３のマーク画像の表示を望む場合、第１の胸マーク７３−１のマーク画像の一覧表示を指示する指示ボタン８８Ｃ−１を押圧する。これによって、表示領域８９には、製造済みのユニフォームを撮影した第１の胸マーク７３−１のマーク画像の一覧が表示される。つまり、マーク画像の表示制御処理は、第１の胸マーク７３−１のマーク画像と同様の注文用入力データに対応するマーク画像の送信を蓄積サーバ３に要請し、蓄積サーバ３から送信されたマーク画像を一覧表示する。一覧表示は、所定領域８７Ｃ−１に表示されたマーク画像を含めて表示してもよく、所定領域８７Ｃ−１に表示されたマーク画像以外のマーク画像を表示してもよい。
【００９４】
ユーザは、一覧表示されたマーク画像の中に希望する胸マーク７３のマーク画像が存在する場合、そのマーク画像を指示する。これにより、ユーザが希望する胸マーク７３のマーク画像が所定領域８７Ｃ−１に表示される。つまり、マーク画像の表示制御処理は、一覧表示されたマーク画像の中から指示されたマーク画像を検出し、検出したマーク画像を、所定領域８７Ｃ−１に表示する第１の胸マーク７３−１のマーク画像として更新する。前記の第１の胸マーク７３−１のマーク画像以外のマーク画像の処理は、第１の胸マーク７３−１のマーク画像の処理と同様の処理のため、詳細な説明を省略する。なお、指示ボタン８８Ａを押圧して表示された一覧表示されたユニフォーム前面７１のマーク画像の中からマーク画像を指示した場合、他のマーク画像を、指示されたユニフォーム前面７１のマーク画像と同様にユニフォーム基材に形成されたマークを撮影したマーク画像に更新してもよい。
【００９５】
このように、マーク画像の表示制御処理を実行することによって、ユーザが希望するマーク付きユニフォームの完成品の候補を短時間で提供することができる。
【００９６】
ところで、ユーザが希望する複数のマーク画像を組み合わせてユーザが希望するマーク付きユニフォームを候補として表示させた場合、ユニフォーム基材とマークとの組み合わせや相違するマークの組み合わせが製造上困難な場合がある。製造上困難な組み合わせの一例は、製造に関する情報が挙げられる。
【００９７】
図１８に、マーク付きユニフォームを製造する際の組み合わせの可否テーブルの一例を示す。図１８の例では、ユニフォーム基材またはマークを構成するマーク材料の種類を素材Ｚ１〜Ｚ４とし、マークを形成する際の製造技法を技法Ｇ１〜Ｇ５として、素材Ｚ１〜Ｚ４と、技法Ｇ１〜Ｇ５との組み合わせの可否を示した。
従って、製造上困難な組み合わせを抑制するためには、マーク付きユニフォームを候補として表示させる際に、製造上困難な組み合わせの警告を表示すればよい。具体的には、注文側端末２に図１８に示す可否テーブルを予め記憶しておき、マーク付きユニフォームを候補として表示させる際に、製造上困難な組み合わせが生じた場合、製造上困難な組み合わせである旨のメッセージを表示する警告表示をすればよい。
【００９８】
以上説明したように本実施形態によれば、既に製造済みのユニフォームを撮影したマークを含む画像をマーク画像として、蓄積サーバ３に蓄積し、その中からユーザが希望するユニフォームの完成品の候補となるマーク画像を提供することができる。また、ユーザは、既に製造済みのマーク付きユニフォームを撮影したマーク画像によって、ユニフォーム及びマークの質感を視認することができ、ユーザが希望するマーク付きユニフォームの完成品の候補を短時間で提供することができる。さらに、蓄積サーバ３にはマーク画像に関連付けてマーク仕様も蓄積するので、マーク付きユニフォームの注文時には、マーク画像に関連付けたマーク仕様を含めて注文することができるので、マーク画像として表示されたマーク付きユニフォームに沿ったユニフォームを製造することができる。
【００９９】
なお、本実施形態では、１つのマーク付きユニフォームの注文に対して、一箇所の製造側に対して作業伝票を作成し、製造側端末４のコンピュータ４０へ送信する場合を説明したが、マークごとに異なる製造側へ注文するようにしてもよい。例えば、ユーザが希望するマーク付きユニフォームの完成品の胸マークを、製造側端末４−１を取り扱う第１の製造側で形成し、その他のマークを製造側端末４−２を取り扱う第２製造側で形成するようにしてもよい。この場合、複数の製造側の各々が担当するマークのマーク付きユニフォームを形成する順序は、予め定めてもよいし、蓄積サーバ３において設定してもよい。従って、蓄積サーバ３は、複数の製造側の各々が担当するマークに対応する製造側毎に作業伝票を作成し、それぞれの製造側端末４のコンピュータ４０へ送信することができる。
【０１００】
また、製造側は、マーク付きユニフォームを形成する拠点に限定されるものではない。例えば、形成されたマーク付きユニフォームの作業伝票を受け取り、複数の製造側の各々へ、各々が担当する製造を遂行するための個別作業伝票を送る指示拠点、及び形成されたマーク付きユニフォームを注文側へ送付する送付拠点を含む。
【０１０１】
また、本実施形態に係るマーク付きユニフォームの製造支援システムはユニフォーム基材を用いてマークを形成するマーク付きユニフォームの製造支援を行うものとしたが、ユニフォーム基材はＴシャツ等の生地であってもよいことは言うまでもない。
【０１０２】
また、本実施形態に係るマーク付きユニフォームの製造支援システムではユニフォームとして、例えばシャツなどの単品を対象にした場合を説明したが、例えばシャツとズボンやスカート等の複数のパーツの組み合わせであってもよい。
【０１０３】
さらに、ユニフォームは、シャツ、ズボン、スカート、スコート、帽子、手袋及び靴下などの身体にまとう衣服単品またはそれらの組み合わせであってもよい。また、シューズ、ベルト及びバッグなどの服飾品単品またはそれらの組み合わせであってもよい。さらに、タオル及び手ぬぐいなどの布製品の付属品単品またはそれらの組み合わせであってもよい。さらにまた、身体にまとう衣服、服飾品、及び付属品の少なくとも１つのであってもよい。
【０１０４】
また、本発明を実施の形態を用いて説明したが、本発明の技術的範囲は上記実施形態に記載の範囲には限定されない。発明の要旨を逸脱しない範囲で上記実施形態に多様な変更または改良を加えることができ、当該変更または改良を加えた形態も本発明の技術的範囲に含まれる。
【０１０５】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【符号の説明】
【０１０６】
１      製造支援システム
２      注文側端末
３      蓄積サーバ
４      製造側端末
５      ネットワーク
２０    コンピュータ
２１Ｐ  注文処理プログラム
３０    コンピュータ
３１Ｐ  データベース処理プログラム
４０    コンピュータ
４１Ｐ  アプリケーションプログラム
５０    公開データ
５１    非公開データ
５２    注文候補データ
５３    注文詳細データ
７１    ユニフォーム前面
７２    ユニフォーム背面
７３    胸マーク
７４    袖マーク
７５    背面ネーム
７６    エンブレム
ＲＤ    レコード
【図１】
2018200547.tif 000003
【図２】
2018200547.tif 000004
【図３】
2018200547.tif 000005
【図４】
2018200547.tif 000006
【図５】
2018200547.tif 000007
【図６】
2018200547.tif 000008
【図７】
2018200547.tif 000009
【図８】
2018200547.tif 000010
【図９】
2018200547.tif 000011
【図１０】
2018200547.tif 000012
【図１１】
2018200547.tif 000013
【図１２】
2018200547.tif 000014
【図１３】
2018200547.tif 000015
【図１４】
2018200547.tif 000016
【図１５】
2018200547.tif 000017
【図１６】
2018200547.tif 000018
【図１７】
2018200547.tif 000019
【図１８】
2018200547.tif 000020